(57)【要約】      （修正有）【課題】被施療部のマッサージ機への載置動作を容易に行うことができると共に、使用者に窮屈感を与えないマッサージ機を提供する。【解決手段】被施療部が収納され、底面１８と底面１８の両側から立設された側壁とから構成された凹状受部１４と、凹状受部１４の側壁間の間隔を調整する調整手段１５と、凹状受部１４の底面１８に配置され、被施療部をマッサージするマッサージ部２４とを備え、前記マッサージ部２４は、凹状受部１４内を移動自在に構成される。【選択図】        図３
2005058300.tif 000002
【特許請求の範囲】
【請求項１】
被施療部が収納され、底面と底面の両側から立設された側壁とから構成された凹状受部と、凹状受部の側壁間の間隔を調整する調整手段と、凹状受部の底面に配置され、被施療部をマッサージするマッサージ部とを備え、前記マッサージ部は、凹状受部内を移動自在に構成されていることを特徴とするマッサージ機。
【請求項２】
前記マッサージ部は、マッサージ強度を可変自在に構成されていることを特徴とする請求項１記載のマッサージ機。
【請求項３】
前記調整手段により、マッサージ部に対する被施療部の位置を調整可能に構成したことを特徴とする請求項１または請求項２記載のマッサージ機。
【請求項４】
前記調整手段により、マッサージ部に対する被施療部の位置を移動可能に構成したことを特徴とする請求項１または請求項２記載のマッサージ機。
【請求項５】
前記調整手段は、両側壁にエアーバックが配置されていることを特徴とする請求項１乃至請求項４の何れか１項に記載のマッサージ機。
【発明の詳細な説明】
【技術分野】
【０００１】
本発明は、被施療部を収納する凹状受部の底面から被施療部にマッサージを施すマッサージ機に関する。
【背景技術】
【０００２】
この種のマッサージ機においては、足の甲を覆う足押さえカバーを有するマッサージ部内に足を入れ、足の甲を上部マッサージ部により押圧すると共に、足の裏方から上方に向けて突出する下部マッサージ部により足裏を押圧するものが知られている（例えば、特許文献１参照）。
【０００３】
しかしながら、足押さえカバーが障害となり、マッサージ部内に足を出し入れする動作が非常にやり難いと共に、足押さえカバーにより使用者に窮屈感を与える欠点があった。
【特許文献１】特開２０００−１６７０２１号公報
【発明の開示】
【発明が解決しようとする課題】
【０００４】
本発明はこのような課題を解決するためになされたものであり、被施療部のマッサージ機への載置動作を容易に行うことができると共に、使用者に窮屈感を与えないマッサージ機を提供することを課題とする。
【課題を解決するための手段】
【０００５】
上記課題を解決するための第１の手段は、被施療部が収納され、底面と底面の両側から立設された側壁とから構成された凹状受部と、凹状受部の側壁間の間隔を調整する調整手段と、凹状受部の底面に配置され、被施療部をマッサージするマッサージ部とを備え、前記マッサージ部は、凹状受部内を移動自在に構成されていることを特徴とする。
【０００６】
上記課題を解決するための第１の手段において、前記マッサージ部は、マッサージ強度を可変自在に構成されていることが好ましい。
【０００７】
上記課題を解決するための第１の手段において、前記調整手段により、マッサージ部に対する被施療部の位置を調整可能に構成してもよい。
【０００８】
上記課題を解決するための第１の手段において、前記調整手段により、マッサージ部に対する被施療部の位置を移動可能に構成してもよい。
【０００９】
上記課題を解決するための第１の手段において、前記調整手段は、両側壁にエアーバックが配置されていてもよい。
【発明の効果】
【００１０】
本発明の請求項１の構成によれば、被施療部のマッサージ機への載置動作を容易に行うことができると共に、使用者に窮屈感を与えることを防止することができる。また、凹状受部内の被施療部の広範囲をマッサージすることができる等の効果を奏する。
【００１１】
本発明の請求項２の構成によれば、被施療部を強弱つけてマッサージすることができ、人に近い自然なマッサージ感を得ることができる等の効果を奏する。
【００１２】
本発明の請求項３の構成によれば、被施療部の特にマッサージを行いたい所を重点的に
マッサージすることができる等の効果を奏する。
【００１３】
本発明の請求項４の構成によれば、凹状受部内の被施療部を、均一にマッサージすることができる等の効果を奏する。
【００１４】
本発明の請求項５の構成によれば、簡単な構成により、側壁間の間隔を調整することができる等の効果を奏する。
【発明を実施するための最良の形態】
【００１５】
本発明のマッサージ機を椅子型マッサージ機に配備した最良の実施形態を以下に詳述する。
【００１６】
（第１実施形態）
第１実施形態の椅子型マッサージ機を図１乃至図６に基づいて以下に詳述する。図１に示すように、椅子型マッサージ機１のシート部２の前方には、脚部用マッサージユニット３が配備され、脚部用マッサージユニット３の下方には、本発明のマッサージ機の構成を実施した足先用マッサージユニット４が配備されている。椅子型マッサージ機１は公知のものを用いることができる。
【００１７】
例えば、椅子型マッサージ機１として、図１及び図２に示すように、椅子の背凭れ部５に左右一対の施療指６を有するマッサージ機構７を配置したものを挙げることができる。マッサージ機構７は、背凭れ部５に沿って上下に昇降可能であり、施療指６を互いに接近離間して被施療者に揉みマッサージを施したり、上下に揺動して叩きマッサージを施すことができる。背凭れ部５は、図示しないが布カバーで覆われ、シート部２に対して任意の角度で位置決め可能に連結されている。
【００１８】
椅子型マッサージ機１のシート部２の前方には、連結フレーム８を介して、回動自在且つ任意の角度で位置決め可能に脚部用マッサージユニット３が配備される。脚部用マッサージユニット３は、マッサージケース９に被施療者の脚部（ふくらはぎ）を挿入する一対の桶状の凹状受部１０を形成し、各凹状受部１０の一方の側壁に、狭持手段としての側面エアーバッグ１１が、他方の側壁に弾性部材２３が夫々配備され、各凹状受部１０の底壁には押圧用の底面エアーバック１２が配備されている。
【００１９】
脚部用マッサージユニット３の下方には、図１及び図２に示すように、足先用マッサージユニット４が連結されている。足先用マッサージユニット４は、図示省略するリンク機構により、常に水平状態を維持できるように連結されており、図２に示すように、脚部用マッサージユニット３を上方へ揺動させても、足先用マッサージユニット４は略水平状態を保つ。従って、図２の状態で、被施療者が椅子型マッサージ機１に腰掛けたときに、足Ｆを前方に伸ばすことができる。
【００２０】
足先用マッサージユニット４は、図３に示すように、マッサージケース１３に被施療者の足元（くるぶしよりも下の部分）を挿入する一対の凹状受部１４を形成し、凹状受部１４の各々に、狭持手段としての側面エアーバッグ１５と指圧子駆動手段１６を配備して形成される。指圧子駆動手段１６として、底面エアーバック１７が用いられる。狭持手段はこれに限定されず、例えば、モータ等で駆動する機構としてもよい。
【００２１】
マッサージケース１３は、図３乃至図５に示すように、凹状受部１４の底面１８を構成する底壁１９と、底壁１９の両端から上方に向けて平行に形成された第１側壁２０と、第１側壁２０の間に第１側壁２０と対向するように突設された第２側壁２１とを備える。マッサージケース１３は樹脂等によって形成することができる。
【００２２】
第１側壁２０と第２側壁２１には弾性部材２２が貼り付けられている。第１側壁２０側の弾性部材２２には、第１側壁２０の側壁面に沿うように側面エアーバック１５が取付けられている。側面エアーバック１５は、図示しないバルブを介して図示しないエアーポンプに接続され、エアーポンプからの空気の供給を受けて膨張する。弾性部材２２は側面エアーバック１５を膨張させたときに、被施療者の脚部が埋没する程度の弾力性を有するものを用いることが望ましく、ウレタン樹脂やスポンジ、発泡樹脂等から構成することができる。
【００２３】
凹状受部１４の底面１８には、図３及び図４に示すように、底面エアーバック１７が取付けられている。底面エアーバック１７には、各々ウレタン樹脂等からなる指圧子２４が突設されている。底面エアーバック１７は、ナイロン製の布地にウレタンをラミネートしたものを袋状に溶着し、袋には指圧子２４が入る穴を設け、そこに指圧子２４を嵌め込み溶着している。底面エアーバック１７は、バルブを介して図示しないエアーポンプに接続され、エアーポンプからの空気の供給を受けて膨張する。指圧子２４は柔軟な状態で装着されるので、底面エアーバック１７が膨張したときに、被施療部の患部に指圧子２４の全体がフィットし、患部の一部分のみを押圧するようなことがないようにしている。
【００２４】
凹状受部１４の底面１８には、底面エアーバック１７が膨張したときに、指圧子２４が底面１８より突出するように孔２５が設けられている。底面エアーバック１７の収縮時には、指圧子２４が孔２５よりわずかに突出するか突出しないようにその高さが設定されており、足先を底面１８に置いた場合に指圧子２４により痛みを感じることのないようにしている（図４においてＦは足を表す）。
【００２５】
この底面エアーバック１７は凹状受部１４内を自在に移動できるようになっている。この構造について以下に詳述する。一対の底面エアーバック１７は、マッサージケース１３底部から立設されたガイド２６により移動自在に支持されたフレーム２７に載置されている。
【００２６】
フレーム２７の中央にはナット部２８が固定されている。ナット部２８の中心には螺子部２９が形成され、螺子部２９にシャフト３０が螺合している。シャフト３０は全長にわたり螺子加工され、両端はマッサージケース１３の座部から立設された軸受４１に回転自在に支持されている。シャフト３０の一方側にはモータ３１が配置され、その出力軸３２はシャフト３０に螺合している。モータ３１の駆動により出力軸３２を介してシャフト３０は回転する。シャフト３０が回転するとナット部２８を介してフレーム２７はシャフト３０上を移動する。従って、底面エアーバック１７は凹状受部１４内を移動する。モータ３１の駆動から所定時間経過すると、モータ３１の駆動を反転させて底面エアーバック１７を逆方向に移動させる。これを繰り返すことにより、底面エアーバック１７は凹状受部１４内を自在に移動する。
【００２７】
凹状受部１４は上方を開放しているため、被施療部である足Ｆを凹状受部１４内に容易に載置させることができる。凹状受部１４内に足Ｆを載置させ、側面エアーバック１５を膨張させることにより、足Ｆは位置決めされる。凹状受部１４は上方は開放されていると共に、側面エアーバック１５の他側壁には弾性部材２２が装着されているため、足Ｆには窮屈感を感じることはない。底面エアーバック１７を膨張させると共に、モータ３１を駆動させることにより足裏全体を指圧子２４によりマッサージすることができる。
【００２８】
尚、第１実施形態では、本発明のマッサージ機の構成を足先用マッサージユニット４にて実施したが、脚部用マッサージユニット３で実施してもよい。また、その他の被施療部のマッサージで実施してもよい。
【００２９】
（第２実施形態）
図７乃至図１０は本発明の第２実施形態を示している。尚、第１実施形態と同一部品については同一符号を付して説明を省略する。フレーム２７の中央には、電動機３３が配置され、その出力軸３４はベルト３５を介してプーリ３６に連結されている。プーリ３６の中心には軸３７が圧入されており、軸３７はプーリ３６と共に回転する。軸３７の両端はフレーム２７上に配置された略コ字状の支持部材３８により回転自在に支持されている。図１０に示すように、支持部材３８内の軸３７には略円筒形のカム３９がその中心を外れた位置で固定されている。カム３９と支持部材３８との間には、指圧子４０が上下動自在に載置されている。
【００３０】
電動機３３の駆動により出力軸３４、ベルト３５及びプーリ３６を介して軸３７は回転する。軸３７が回転することにより、カム３９は偏心運動を行う。従って、カム３９上に上下動自在に載置されている指圧子４０が偏心して上下運動を行うため、指圧子４０が支持部材３８より突出する高さを絶えず変化させて、指圧子２４による足裏のマッサージ強度を変化させることができ、人に近い自然なマッサージ感を得ることができる。モータ３１も駆動すれば、指圧子４０は前後に移動しながら上下運動を行い足裏全体に変化に富んだマッサージを与えることができる。
【００３１】
（第３実施形態）
図１１乃至図１３は本発明の第３実施形態を示している。尚、第１実施形態及び第２実施形態と同一部品については同一符号を付して説明を省略する。第３実施形態では、凹状受部１４の両側壁に側面エアーバック１５を配置している。この構成とすることにより、指圧子２４に対する足Ｆの位置を自在に調整することができる。例えば、図１１のように左右の側面エアーバック１５を等分に膨張させると、指圧子２４が足裏の略中央に位置するため、略中央の足裏を重点的にマッサージすることができる。図１２のように凹状受部１４の内側の側面エアーバック１５だけを膨張させると、指圧子２４が内側の足裏に位置するため、内側の足裏を重点的にマッサージすることができる。図１３に示すように凹状受部１４の外側の側面エアーバック１５だけを膨張させると、指圧子２４が外側の足裏に位置するため、外側の足裏を重点的にマッサージすることができる。このようにして、マッサージしたい所を、容易に調整して重点的にマッサージすることができる。
【００３２】
尚、指圧子２４の駆動方法は、第１実施形態または第２実施形態のどちらの方法を用いてもよい。また、側面エアーバック１５の膨張を定期的に変化させ、図１１乃至図１３の状態を繰り返し行うように構成してもよい。こうすれば、足裏全体を均一にマッサージすることができる。
【図面の簡単な説明】
【００３３】
【図１】本発明を実施するための最良の第１実施形態のマッサージ機の斜視図である。
【図２】同マッサージ機の脚部用マッサージユニットを水平に回転させた状態の斜視図である。
【図３】同マッサージ機の足先用マッサージユニットの断面図である。
【図４】同マッサージ機の足先用マッサージユニットの底部エアーバックの拡大断面図である。
【図５】同マッサージ機の足先用マッサージユニットの上面図である。
【図６】同マッサージ機の足先用マッサージユニットの断面図で、シャフトとモータとの関係を示す。
【図７】本発明を実施するための最良の第２実施形態のマッサージ機の足先用マッサージユニットの断面図である。
【図８】同マッサージ機の足先用マッサージユニットの上面図である。
【図９】同マッサージ機の足先用マッサージユニットの断面図で、電動機と軸との関係を示す。
【図１０】同マッサージ機の足先用マッサージユニットの断面図で、軸とカムとの関係を示す。
【図１１】本発明を実施するための最良の第３実施形態のマッサージ機の足先用マッサージユニットの上面図である。
【図１２】同マッサージ機の足先用マッサージユニットの上面図で、内側の側面エアーバックを膨張させた状態を示す。
【図１３】同マッサージ機の足先用マッサージユニットの上面図で、外側の側面エアーバックを膨張させた状態を示す。
【符号の説明】
【００３４】
１４  凹状受部
１５  側面エアーバック（調整手段）
１８  底面
２０  第１側壁
２１  第２側壁
２４  指圧子（マッサージ部）
【図１】
2005058300.tif 000003
【図２】
2005058300.tif 000004
【図３】
2005058300.tif 000005
【図４】
2005058300.tif 000006
【図５】
2005058300.tif 000007
【図６】
2005058300.tif 000008
【図７】
2005058300.tif 000009
【図８】
2005058300.tif 000010
【図９】
2005058300.tif 000011
【図１０】
2005058300.tif 000012
【図１１】
2005058300.tif 000013
【図１２】
2005058300.tif 000014
【図１３】
2005058300.tif 000015